(57)【要約】【課題】  壁面、床面、天井面に配線類を隠蔽して配線された建築構造であって、壁面に用いれば、壁面に機器類を強固にしかも簡単に設置可能で、設置場所をとらない省スペ−スに最適で、配線コ−ド類が露出せず、しかも、隠蔽手段が着脱自在ゆえ、配線の不具合箇所を外部に露出させることが可能で、修理に手間どらず、棚板の配置も簡単に移動可能で壁面の模様替えも極めて簡単にできる配線機能付き建築構造を安価に提供する。【解決手段】  建築物の内装壁面、床面、天井面等建築パネルに配線機能を付与させてなる建築構造において、前記建築パネルに仕切桟、フレ−ムを取り付け、該仕切桟、フレ−ム内部のスペ−スに配線コ−ド類を挿通させるようにした。壁面に機器類を設置する場合、フレ−ム枠と仕切桟と機器取付具を設けた化粧パネルと棚板から壁面パネルを構成し、フレ−ム及び仕切桟内部に配線し化粧プレ−トで隠蔽するようにした。【選択図】        図１
2005097925.tif 000002
【特許請求の範囲】
【請求項１】
建築物の内装壁面、床面、天井面等建築パネルに配線機能を付与させてなる建築構造において、前記建築パネルに仕切桟を取り付け、該仕切桟内部のスペ−スに配線コ−ド類を挿通させることを特徴とする配線機能付き建築構造。
【請求項２】
前記仕切桟が、互いに所定の間隔をおいて平行する一対の水平片と該水平片の後端部に略垂直に設けられ、前記一対の水平片を連結する連結片とで構成されており、断面形状で略コの字型を形成し、配線コ−ド類を挿通させるためのスペ−スが、前記コの字型形状を有する仕切桟内部に形成されており、前記仕切桟に内部を隠蔽する手段が設けられていることを特徴とする請求項１に記載の配線機能付き建築構造。
【請求項３】
請求項１又は２に記載の配線機能付き建築構造において、内部に配線コ−ド類を挿通させるためのスペ−スを有する断面形状略Ｌ字型のフレ−ムを壁面の所定位置に二方〜四方取り付けてフレ−ム枠を形成し、該フレ−ム枠の内部を縦方向及び又は横方向に前記仕切桟で仕切り、前記フレ−ム枠の内部に化粧パネルを取り付け、前記フレ−ム枠と仕切桟と化粧パネルとで壁面パネルを構成し、前記フレ−ム及び又は仕切桟の内部に配線コ−ド類を挿通させ、前記仕切桟及び又はフレ−ムに、その内部を隠蔽する手段が設けられていることを特徴とする配線機能付き建築構造。
【請求項４】
請求項３に記載の配線機能付き建築構造において、壁面に設置される前記フレ−ム枠が左右の縦方向及び上部の横方向の三方のフレ−ムで囲われて形成されており、前記化粧パネル表面の所定位置に棚板が設けられており、前記フレ−ムは、水平片と該水平片前端部から略垂直に延出する延出片からなる断面形状略Ｌ字型を有し、前記水平片のほぼ中央付近で前記延出片とほぼ平行して略垂直に突出する突出片が形成されており、前記仕切桟は、前記コの字型の前端部が開口し、前記一対の水平片の開口端縁にコの字型形状の外方へ向かう向きの突起が形成されており、前記仕切桟の突起と水平片及び前記フレ−ムの突出片と水平片とで、化粧パネルが挟持されて前記壁面パネルが構成されており、前記仕切桟及び又はフレ−ムに設けられた内部隠蔽手段が、仕切桟及び又はフレ−ムの開口部端縁に設けられた化粧プレ−トであることを特徴とする配線機能付き建築構造。
【請求項５】
請求項３ないし４いずれか記載の配線機能付き建築構造において、前記フレ−ム枠の内部の化粧パネルの所定位置に、オ−ディオ機器、ＡＶ機器等を取り付けるための取り付け具が設けられており、前記仕切桟内部の開口端縁近傍に棚板用のブラケットが仕切桟に沿って移動可能に係止されており、仕切桟及び又はフレ−ム用の前記化粧プレ−トを、着脱自在に保持するための保持部が仕切桟及び又はフレ−ムのスペ−スの内部に形成されていることを特徴とする配線機能付き建築構造。
【発明の詳細な説明】
【技術分野】
【０００１】
本発明は、建築物の内装壁面、床面、天井面等建築パネルに配線機能を付与させ、内装壁面、床面、天井面に棚板、オ−ディオ機器、ＡＶ機器、その他パネル等を取り付けるための配線機能付き建築構造に関する。
【背景技術】
【０００２】
従来、建築物の内装壁面、床面、天井面に配線機能を付与させるには、配線コ−ド類を内装壁面、床面、天井面の表面に配設し、二股釘、ステ−プル等の機械的手段又は粘着テ−プ類等の接着手段を、いずれか又は併用して取り付けていた。例えば、内装壁面に化粧パネル、棚板、オ−ディオ機器、ＡＶ機器、コンセント等を取り付けるに際して、それぞれを別々に内装壁面の希望する所定箇所に、それぞれの取り付け方に従って取り付け施工し、それらを配線コ−ド類で結線していた。
【０００３】
従来、オ−ディオ機器、ＡＶ機器等を取付設置する際、先ず、壁面に化粧パネルを施工し、オ−ディオ機器、ＡＶ機器等は壁面の前面の床面上に設置するか又は収納家具の内部に収納する場合がほとんどで、特別に内装壁面に取り付け固定することは、ほとんんどなかった。また、オ−ディオ機器、ＡＶ機器等の電気配線は壁面に設けた配線用穴を通して内装壁面の裏面へ取り出し、屋内配線と直結するか又は壁面又は床面に設けたコンセントから電気配線コ−ドとプラグを利用して電源をとるかの、いずれかであった。いずれにしても電気配線コ−ド類は壁面、床面、天井面の表面の一部に少なからず露出し、外部から見えるので外観を著しく損ねていた。また、通信ケ−ブル類も同様にして、外部から見えるので大きな問題点であった。
【０００４】
そこで、電気配線等のコ−ド類や通信ケ−ブル類を外部からは見えなくするための工夫として、枠体とその中に面材を納めた建築用パネルを用意し、該建築用パネルを壁面に取り付け、建築用パネルの面材の下に目障りな電気配線やコ−ド類を収納して外部からは見えなくする工夫をした建築用パネルがある。（例えば、特許文献１参照）
【特許文献１】特開平１０−１４９１７３号公報（第１−５頁、第１図−第４図）
【発明の開示】
【発明が解決しようとする課題】
【０００５】
しかしながら、上記、特開平１０−１４９１７３号公報に開示されている方法では、電気配線やコ−ド類を外部から見えなくすることは一応可能であるが、長期間使用する間に、電気配線やコ−ド類に断線や不具合が発生した場合、いちいち表面の面材を取り除かないと断線や不具合箇所が外部から見えないので、修理するのに大変不便であった。
【０００６】
また、オ−ディオ機器等の機器類を壁面に設置する場合、壁面の前面に設置された機器収納体（収納家具）内に機器類を収納する方法しかなく、オ−ディオ機器等の機器類を壁面に直接にしかも簡単に設置する手段が設けられていないので、設置のために手間や費用がかかっていた。しかも、配線コ−ド類を収納させた建築用パネルが前記機器収納体の裏側に設置されているので、前述の電気配線やコ−ド類に断線や不具合が発生した場合、機器収納体を移動させ、その後、建築用パネルの表面の面材を取り除かないと断線や不具合箇所が外部から見えないので、修理するのに大変不便であった。
【０００７】
また、前記機器収納体（収納家具）は床面のスペ−スをかなりの面積占めることもあるので、床面に置いた場合、特に狭い部屋の場合、大きな問題点となっていた。また、場所をとる機器収納体を用いないで、オ−ディオ機器等の機器類を床面上に載置した場合でも、省スペ−スという観点から大きな問題点となっていた。
【０００８】
この点を改善するために、従来、壁面に棚板用ブラケットと棚板を取り付けて、その上に機器類を載せることも考えられるが、比較的軽量の機器類しか棚板上に載置することはできず、また、棚板用ブラケットを取り付けた後、棚板の配置を変更して壁面の模様替えを行う場合、ブラケット取り付け用ビスをドライバ−でいちいち取り外さなければならず大変作業的に面倒なものであった。さらに、オ−ディオ機器やＡＶ機器類等の重量物を直接壁面に取り付けることは極めて困難であった。
【０００９】
本発明の目的は、壁面にオ−ディオ機器、ＡＶ機器等の機器類を設置する場合、機器類が重量物であっても壁面パネルにしっかりと耐久性良く、しかも極めて簡単に取り付け可能で、床面の設置場所をとらないので省スペ−スに最適で、配線コ−ド類や通信ケ−ブル類が壁面、床面、天井面等の建築パネル内に隠蔽されるように取付可能で、外部から露出せず、しかも配線の断線等不具合が生じても、隠蔽手段が着脱自在ゆえ、不具合箇所が外部から簡単に見えるようにできるので、修理に手間どらず、しかも壁面に取り付けた棚板の配置替えも簡単で、従って、壁面の模様替えも極めて簡単にできる配線機能付き建築構造を安価に提供することにある。
【課題を解決するための手段】
【００１０】
上記目的を達成するために、本発明の請求項１に記載の発明は、建築物の内装壁面、床面、天井面等建築パネルに配線機能を付与させてなる建築構造において、前記建築パネルに仕切桟を取り付け、該仕切桟内部のスペ−スに配線コ−ド類を挿通させることを特徴とする。
【００１１】
係る構成から、内装壁面、床面、天井面、等の建築パネルの内部に配線コ−ド類を挿通させるためのスペ−スを有する仕切桟を取り付けておくことで、内装壁面、床面、天井面等に設置する電気、電子機器類、通信機器類等の配線コ−ド、通信ケ−ブル等を、前記仕切桟内部のス−ペ−スに収納して挿通することができるので、見苦しい配線コ−ド類や通信ケ−ブル類が外部に露出しないので、外観意匠的にも優れたものとなる。
【００１２】
本発明の請求項２に記載の発明は、請求項１に記載の配線機能付き建築構造において、
前記仕切桟が、互いに所定の間隔をおいて平行する一対の水平片と該水平片の後端部に略垂直に設けられ、前記一対の水平片を連結する連結片とで構成されており、断面形状で略コの字型を形成し、配線コ−ド類を挿通させるためのスペ−スが、前記コの字型形状を有する仕切桟内部に形成されており、前記仕切桟に内部を隠蔽する手段が設けられていることを特徴とする。
【００１３】
係る構成から、前記仕切桟内部に配線コ−ド類や通信ケ−ブル類等を収納し挿通させるための断面形状で略コの字型のスペ−スが設けられ、しかも仕切桟の内部を隠蔽する手段が設けられているので、見苦しい配線コ−ド類や通信ケ−ブル類が外部に露出しないのみならず、視覚的にも隠蔽されるので、外観意匠的にも、よりいっそう好適なものとなる。
【００１４】
本発明の請求項３に記載の発明は、請求項１又は２に記載の配線機能付き建築構造において、内部に配線コ−ド類を挿通させるためのスペ−スを有する断面形状略Ｌ字型のフレ−ムを壁面の所定位置に二方〜四方取り付けてフレ−ム枠を形成し、該フレ−ム枠の内部を縦方向及び又は横方向に前記仕切桟で仕切り、前記フレ−ム枠の内部に化粧パネルを取り付け、前記フレ−ム枠と仕切桟と化粧パネルとで壁面パネルを構成し、前記フレ−ム及び又は仕切桟の内部に配線コ−ド類を挿通させ、前記仕切桟及び又はフレ−ムに、その内部を隠蔽する手段が設けられていることを特徴とする。
【００１５】
係る構成から、壁面の所定位置に二方〜四方にフレ−ムを取り付けてフレ−ム枠を形成し、その内部を縦方向及び又は横方向に仕切桟によって仕切り、その内部に化粧パネルを取り付けて壁面パネルを構成しているので、壁面パネル全体としての剛性が大きく保たれ、重量の大きな機器類を壁面に取り付けても、強度耐久性能に優れたものとなる。しかも、配線コ−ド類や通信ケ−ブル等は前記仕切桟及び又はフレ−ムの内部に納められて外部へ露出せず、しかも、前記仕切桟及び又はフレ−ムの内部を隠蔽するための手段が設けられているので、視覚的にも隠蔽され、外観意匠的にも、よりいっそう好適である。
【００１６】
本発明の請求項４に記載の発明は、請求項３に記載の配線機能付き建築構造において、
壁面に設置される前記フレ−ム枠が左右の縦方向及び上部の横方向の三方のフレ−ムで囲われて形成されており、前記化粧パネル表面の所定位置に棚板が設けられており、前記フレ−ムは、水平片と該水平片前端部から略垂直に延出する延出片からなる断面形状略Ｌ字型を有し、前記水平片のほぼ中央付近で前記延出片とほぼ平行して略垂直に突出する突出片が形成されており、前記仕切桟は、前記コの字型の前端部が開口し、前記一対の水平片の開口端縁にコの字型形状の外方へ向かう向きの突起が形成されており、前記仕切桟の突起と水平片及び前記フレ−ムの突出片と水平片とで、化粧パネルが挟持されて前記壁面パネルが構成されており、前記仕切桟及び又はフレ−ムに設けられた内部隠蔽手段が、仕切桟及び又はフレ−ムの開口部端縁に設けられた化粧プレ−トであることを特徴とする。
【００１７】
係る構成から、前記フレ−ム枠が左右の縦方向及び上部の横方向の三方のフレ−ムで囲われて形成されており、該フレ−ム枠の内部を縦方向及び又は横方向に仕切桟で仕切られ、その内部に化粧パネルが設けられて壁面パネルが構成されているので、壁面にオ−ディオ機器、ＡＶ機器等の重量物を取り付けても強度、耐久性に優れたものとなる。
【００１８】
また、化粧パネル表面の所定位置に棚板が設けられているので、壁面にオ−ディオ機器、ＡＶ機器等を取り付ける際の小物載置スペ−スとして使い勝手が向上する。
【００１９】
また、前記フレ−ムは、水平片と該水平片前端部から略垂直に延出する延出片からなる断面形状略Ｌ字型を有し、前記水平片のほぼ中央付近で前記延出片とほぼ平行して略垂直に突出する突出片が形成されており、前記仕切桟はコの字型の前端部が開口し、前記一対の水平片の開口端縁にコの字型形状の外方へ向かう向きの突起が形成されており、前記仕切桟の突起と水平片及び前記フレ−ムの突出片と水平片とで、化粧パネルが挟持されて壁面パネルが構成されているので、化粧パネルの取り付け、配線コ−ド類や通信ケ−ブル類のフレ−ムや仕切桟内部への挿通にとって、よりいっそう好適である。
【００２０】
また、仕切桟やフレ−ム内部を隠蔽する手段が仕切桟やフレ−ムの開口部端縁に設けられた化粧プレ−トであるので、外観意匠的にもよりいっそう好適である。
【００２１】
本発明の請求項請求項５に記載の発明は、請求項３ないし４いずれか記載の配線機能付き建築構造において、前記フレ−ム枠の内部の化粧パネルの所定位置に、オ−ディオ機器、ＡＶ機器等を取り付けるための取り付け具が設けられており、前記仕切桟内部の開口端縁近傍に棚板用のブラケットが仕切桟に沿って移動可能に係止されており、仕切桟及び又はフレ−ム用の前記化粧プレ−トを、着脱自在に保持するための保持部が仕切桟及び又はフレ−ムのスペ−スの内部に形成されていることを特徴とする。
【００２２】
係る構成から、前記フレ−ム枠の内部の化粧パネルの所定位置に、オ−ディオ機器、ＡＶ機器等を取り付けるための取り付け具が設けられているので、オ−ディオ機器、ＡＶ機器等重量物を壁面に極めて簡単に取付できる。しかも強度耐久性に優れたものとなる。
【００２３】
また、棚板用ブラケットが仕切桟内部の開口端縁近傍に仕切桟に沿って移動可能に係止されているので、壁面パネル上での棚板の配置、模様替えが極めて簡単にできる。
【００２４】
また、仕切桟やフレ−ム用の化粧プレ−トを着脱自在に保持するための保持部が仕切桟やフレ−ムの内部に形成されているので、仕切桟やフレ−ムの内部スペ−スに挿通させた配線コ−ド類や通信ケ−ブル類を化粧プレ−トによって隠蔽でき、外観意匠的にも優れたものとなるばかりでなく、前記化粧プレ−トが着脱自在であるので、配線コ−ド類や通信ケ−ブル類の断線等不具合が生じても、化粧プレ−トを簡単に取り外すことが可能で、配線コ−ド類や通信ケ−ブル類を簡単に露出させることができ、配線の不具合が極めて簡単に修理可能となる。
【発明の効果】
【００２５】
本発明の配線機能付き建築構造は、壁面、床面、天井面等に取り付けられる仕切桟内部に配線コ−ド類や通信ケ−ブル類を収納し挿通させるためのスペ−スが設けられているので、壁面、床面、天井面等に設置する電気、電子機器類の配線コ−ド、通信ケ−ブル等を、前記仕切桟内部のス−ペ−スに収納して挿通することができるので、見苦しい配線コ−ド類や通信ケ−ブル類が外部に露出しないので、外観意匠的にも優れたものとなる。また、仕切桟の内部を隠蔽する手段を設けるようにすると、見苦しい配線コ−ド類や通信ケ−ブル類が外部から視覚的にも隠蔽され、外観意匠的にも、よりいっそう好適なものとなる。
【００２６】
また、壁面の所定位置にフレ−ム枠を取り付け、その内部を縦方向及び又は横方向に仕切桟によって仕切り、その内部に化粧パネルを取り付けて、壁面パネルを構成しているので、壁面パネル全体としての剛性が大きく保たれ、強度耐久性能に優れたものとなり、機器類等重量物を取り付けても強度、耐久性に優れたものとなる。しかも、配線コ−ド類や通信ケ−ブル等は前記仕切桟及び又はフレ−ムの内部に納められ、内部を隠蔽するための手段が設けられているので、外観意匠的にも、よりいっそう好適である。
【００２７】
また、化粧パネル表面の所定位置に棚板が設けられているので、壁面にオ−ディオ機器、ＡＶ機器等を取り付ける際の小物載置スペ−スとして使い勝手が向上する。また、仕切桟やフレ−ム内部を隠蔽する手段が仕切桟やフレ−ムの開口部端縁に設けられた化粧プレ−トであるので、外観意匠的にも、よりいっそう好適である。
【００２８】
また、前記フレ−ムは、水平片と該水平片前端部から略垂直に延出する延出片からなる断面形状略Ｌ字型を有し、前記水平片のほぼ中央付近で前記延出片とほぼ平行して略垂直に突出する突出片が形成されており、前記仕切桟はコの字型の前端部が開口し、前記水平片の開口端縁にコの字型形状の外方へ向かう向きの突起が形成されており、前記仕切桟の突起と水平片及び前記フレ−ムの突出片と水平片とで、化粧パネルが挟持されて壁面パネルが構成される構成となっているので、化粧パネルの取り付け、配線コ−ド類や通信ケ−ブル類のフレ−ムや仕切桟内部への挿通にとって、よりいっそう好適である。
【００２９】
また、前記フレ−ム枠の内部の化粧パネルの所定位置に、オ−ディオ機器、ＡＶ機器等を取り付けるための取り付け具が設けられているので、オ−ディオ機器、ＡＶ機器等重量物を壁面に簡単に取り付けできる。また、棚板用ブラケットが仕切桟内部の開口端縁近傍に仕切桟に沿って移動可能に係止されているので、壁面パネル上での棚板の配置、模様替えが簡単にできる。また、仕切桟やフレ−ム用の化粧プレ−トを着脱自在に保持するための保持部が仕切桟やフレ−ムの内部に形成されているので、仕切桟やフレ−ムの内部スペ−スに挿通させた配線コ−ド類や通信ケ−ブル類を化粧プレ−トによって隠蔽でき、外観意匠的にも優れたものとなるばかりでなく、前記化粧プレ−トが着脱自在であるので、配線コ−ド類や通信ケ−ブル類に断線等不具合が生じても、化粧プレ−トを簡単に取り外すことで、配線コ−ド類や通信ケ−ブル類を簡単に露出させることができ、配線の不具合を極めて簡単に修理することができる。
【発明を実施するための最良の形態】
【００３０】
以下、本発明に係る壁面パネルの実施形態の一例を図面により詳細に説明する。図１は本発明の壁面パネルの実施形態の一例を示し、（イ）はその正面図、（ロ）はその側面図である。図２は、図１におけるＡ−Ａ線断面図である。図３は図１におけるＢ−Ｂ線断面図である。
【００３１】
図１において、本発明の配線機能付き建築構造の実施形態の一例として、フレ−ム３によって四方を囲われてフレ−ム枠２が形成され、該フレ−ム枠２と横方向の仕切桟５と化粧パネル４で壁面パネル１を構成し、該化粧パネル４の所定位置に取り付け具Ｋが本例では、３カ所設けられている。また、本例では、前記横仕切桟５の３カ所の位置に、その長手方向に沿って移動可能にブラケットＢが設けられ、該ブラケットＢに棚板７を取り付けた例を示す。
【００３２】
本発明の壁面パネル１は、本例では、壁下地Ｗ表面の左右に略垂直方向に設置される縦フレ−ム３ａと壁下地Ｗ表面の上下に略水平方向に設置される上下フレ−ム３ｂとによって略矩形のフレ−ム枠２が形成されている。前記四本のフレ−ム３の接合箇所は、留め接合、縦勝ち接合、横勝ち接合等種々用いることができるが、これらの中でも留め接合が外観意匠的には最適である。さらに、前記フレ−ム枠２は、その内部を縦方向及び又は横方向に横仕切桟５及び又は縦仕切桟６によって仕切られている。前記横仕切桟５、縦仕切桟６、フレ−ム３の内部に電気配線コ−ド類や通信ケ−ブル等の配線Ｄを挿通させるためのスペ−スＳが設けられている。本例では、横仕切桟５のみで仕切られている例を示す。また、前記フレ−ム３と仕切桟５、６とによって形成された空間に化粧パネルが４が取り付けられている。
【００３３】
また、本発明の壁面パネル１は必要に応じて、オ−ディオ機器やＡＶ機器類を壁面に取り付けることができる構造を有している。前記機器類Ａを取り付けるための取り付け具Ｋが、化粧パネル４の所定位置に設けられている。該取り付け具Ｋは、例えば、フックとフック受けの組み合わせでもよい。その他の適当な構造の取付具でもよい。
【００３４】
また、本発明の配線機能付き建築構造は、図１に示すような、フレ−ム３を用いないで、すなわち、フレ−ム枠２を形成しないで、横仕切桟５及び又は縦仕切桟６のみを、壁面又は、床面、又は天井面に取り付け、該仕切桟の内部に設けられている配線スペ−スに、電気配線コ−ド類や通信ケ−ブル等の配線Ｄを挿通させて使用することもできる。
【００３５】
例えば、図示しないが、壁面の例を示すと、例えば、壁面のプラスタ−ボ−ドの所定位置に仕切桟の断面形状に見合った形状と大きさの条溝を適当な機械的手段でもって形成する。加工する条溝の本数は家電機器、オ−ディオ機器、ＡＶ機器類等の設置場所や設置台数や種類によって適宜決定すれば良い。前記条溝を加工する方法は、例えば、ハンディ−タイプのグル−バ−（溝加工機）、ハンドル−タ−、丸鋸盤等を用いて加工することができる。
【００３６】
次に、仕切桟の開口部を外方に向くようにして、加工した条溝内部に埋め込む、この時、プラスタ−ボ−ド表面と仕切桟の開口端縁を略面一にすると外観仕上がり的にも優れたものとなる。仕切桟を条溝に埋め込む際に接着剤とネジ止め等機械的手段を併用するとよい。
【００３７】
次に、家電機器、オ−ディオ機器、ＡＶ機器類等を所定位置に設置し、配線コ−ド類や通信ケ−ブル等の配線Ｄを仕切桟の内部に挿通させて本発明の配線機能付き建築構造が完成する。必要に応じて、化粧プレ−トＰを仕切桟５、６の開口部に装着して配線コ−ド類や通信ケ−ブル等の配線Ｄを視覚的に隠蔽すればよい。
【００３８】
また、図２において、本例では、前記フレ−ム３は長手方向に沿って水平片Ｆ１が設けられ、該水平片Ｆ１の幅方向（壁面取り付け後、手前へ出っ張る方向）の前端部において略垂直に延出する延出片Ｅが形成されており、断面形状で略Ｌ字型を形成している。さらに、前記延出片Ｅの先端は水平方向に折り返し部Ｑが形成されている。また、前記折り返し部Ｑの近傍において、化粧プレ−トを保持するための保持部Ｈ３が形成されている。
【００３９】
また、前記フレ−ム３は前記水平片Ｆ１の幅方向の略中央付近で、壁下地Ｗから化粧パネル４の厚み寸法に見合う間隔をおいて、前記延出片Ｅとほぼ平行して略垂直に突出する突出片Ｔが形成されている。このようにして、前記水平片Ｆ１と延出片Ｅと突出片Ｔとで囲われたスペ−スＳに配線コ−ド類や通信ケ−ブル等の配線Ｄを挿通させることができる。
【００４０】
また、本発明の前記仕切桟５、６は、互いに所定の間隔をおいて、平行する一対の水平片Ｆ２、Ｆ３と、該水平片Ｆ２、Ｆ３の後端部に略垂直に設けられ、前記一対の水平片Ｆ２とＦ３を連結する連結片Ｒとで構成されており、断面形状で、略コの字型を形成している。このようにして、前記仕切桟５、６はコの字型の内部に電気配線のコ−ド類、通信ケ−ブル類等の配線Ｄを挿通させるためのスペ−スＳが形成されており、前記コの字型の前端部が開口し、前記水平片Ｆ２及び水平片Ｆ３の開口端縁にコの字型形状の外方へ向かう向きの突起Ｃが形成されており、前記仕切桟５、６の一対の水平片Ｆ２、Ｆ３と該水平片Ｆ２、Ｆ３に形成されている突起Ｃと、前記フレ−ムの水平片Ｆ１と突出片Ｔとで前記化粧パネル４が挟持され、本発明の壁面パネル１が構成されている。前記仕切桟の開口部の外方へ向かう向きに形成されている水平片Ｆ２の突起Ｃは内方へ向かう向きにも延出され小突起が形成されている。
【００４１】
また、前記仕切桟５、６は、その内部においてコの字型の開口部近傍に化粧プレ−トＰ用の保持部Ｈが設けられており、配線Ｄを視覚的に隠蔽するための化粧プレ−トＰが着脱自在に取り付けられている。すなわち、仕切桟５、６の前記保持部Ｈは、本例では、前記水平片Ｆ２の前記突起Ｃ近傍において形成された仕切桟内方へ向かう一対の小突起からなる保持端部Ｈ１と、その対面に形成されている一対の小突起からなる保持基部Ｈ２とから構成されている。本例では、保持端部Ｈ１及び保持基部Ｈ２は、化粧プレ−トＰの厚みに見合う間隔をおいて形成された一対の小突起形状で構成されている。化粧プレ−トＰが保持できる機能を有するものであれば、これ以外であっても良い。
【００４２】
また、本発明のフレ−ム３の延出片の先端部近傍において、化粧プレ−トＰを着脱自在に保持するための保持基部Ｈ３が設けられている。該保持基部Ｈ３は仕切桟の前記保持基部Ｈ２とほぼ同様の構造でよい。
【００４３】
また、図３において、本発明の壁面パネル１は、フレ−ム枠２の内部において、スピ−カ−、その他小物機器類（図示せず）を載置するための棚板７が所定位置に取り付けできる構造を有している。該棚板７はブラケットＢに、例えば木ネジＭで固定されている。前記ブラケットＢの構造は、一例として、棚板７を載置し固定する載置部Ｂ１と棚板の自重を化粧パネル４への押圧力に変えて棚板７を支える働きを有する脚Ｂ２とで構成されている。さらに、前記載置部Ｂ１の後端部において、係止部Ｇが設けられている。前記仕切桟５、６のコの字型形状の内部スペ−スＳの開口部近傍に形成された前記保持端部Ｈ１及び保持基部Ｈ２によって、前記係止部Ｇが係止され、ブラケットＢの脱落を防止している。
【００４４】
さらに、前記ブラケットＢは前記仕切桟５、６の長手方向に沿って極めて簡単にスライドし移動可能なように構成されている。この時、前記係止部Ｇは前記化粧プレ−トＰの前面をスライドする構成となっている。さらに、本発明の棚板７用のブラケットＢを取り外す場合、棚板７の先端部を軽く持ち上げて、前記ブラケットの係止部Ｇを係止位置から引き離し、係止部Ｇを斜めにし、係止部Ｇを取り外し、ブラケットＢ全体を斜め下方へ引っ張ると極めて簡単に仕切桟から取り外すことができる。また、取り付ける時は、この逆を行えば良い。
【００４５】
次に施工手順について説明する。
１．部屋の壁下地Ｗの所定の位置に、縦フレ−ム３ａ、上下フレ−ム３ｂの四本のフレ−ム３を取り付けビス等（図示せず）で壁下地Ｗにしっかりと取り付けて、フレ−ム枠２を形成する。
２．各フレ−ム３ａ、３ｂの接合角部は留め接合、縦勝ち接合、横勝ち接合いずれでも良いが、外観意匠的には留め接合が最適である。
３．フレ−ム枠２の内部に縦及び又は横方向に仕切桟５及び又は６を取り付ける。フレ−ム３との接合は取り付けビス等（図示せず）を用いて、しっかりと取り付ける。
４．フレ−ム３ａ、３ｂと仕切桟５、６で形成された空間内部に化粧パネル４を取り付ける。取り付け方は木ネジ、釘、ステ−プル等の機械的手段と接着剤とを用いて、何れか又は両方併用して取り付ける。
５．オ−ディオ機器、及び又はＡＶ機器等の機器類Ａの裏面とオ−ディオ機器、及び又はＡＶ機器等の機器類Ａを取り付ける化粧パネル４の位置に取り付け具Ｋを取り付けておく。
６．オ−ディオ機器、ＡＶ機器等の機器類Ａを配線コ−ド類で配線し屋内配線と結線し、必要に応じて通信ケ−ブルを配線する。この時、配線コ−ド類、通信ケ−ブル類等の配線Ｄを、仕切桟５、６の内部スペ−スＳの内部及び又はフレ−ム３の内部スペ−スＳの内部に挿通させる。
７．仕切桟５、６及び又はフレ−ム３に化粧プレ−トＰを取り付け、仕切桟５、６及び又はフレ−ム３内部の配線コ−ド類、通信ケ−ブル類等の配線Ｄを視覚的に隠蔽する。
８．棚板７をブラケットＢの載置部Ｂ１に、木ネジＭ等で取り付ける。
９．棚板付きブラケットＢを仕切桟５、６の所定位置に必要個数だけ差し込んで係止部Ｇを手掛かりとして取り付ける。
１０．壁面パネル１全体を見て、オ−ディオ機器、ＡＶ機器等の機器類Ａ、棚板７等の配置を微調整して壁面パネル１の取り付け施工が完成する。
【００４６】
次に本発明の壁面パネル１を構成する各部材の材質について詳述する。フレ−ム３、仕切桟５、６、ブラケットＢは例えば、アルミ製、ジュラルミン製、鋼板製等の金属製の他、塩ビ樹脂、オレフィン樹脂、ＡＢＳ樹脂、ポリエステル樹脂、アクリル樹脂等の合成樹脂成型体、ウレタン樹脂等の発泡によって成型された人工木材等の他、集成材、ＬＶＬ、等の木質材料等が好適なものとして例示できる。しかしこれらに限定されるものではない。
【００４７】
化粧パネル４、棚板７は、特に限定しないが、例えば、合板、ＭＤＦ基材表面に天然突板や単板を貼着した化粧貼り合板、化粧貼りＭＤＦの他、合板、ＭＤＦ基材表面に木目印刷や抽象柄が印刷されたオレフィンシ−トや塩ビシ−トを貼着したオレフィン又は塩ビ化粧板、鋼板基材表面に例えば木目印刷されたオレフィンシ−トや塩ビシ−トを貼着した化粧鋼板等が好適なものとして例示できる。
【図面の簡単な説明】
【００４８】
【図１】本発明の壁面パネルの実施形態の一例を示す。          （イ）正面図。          （ロ）側面図。
【図２】図１におけるＡ−Ａ線断面図。
【図３】図１におけるＢ−Ｂ線断面図。
【符号の説明】
【００４９】
１      壁面パネル
２      フレ−ム枠
３      フレ−ム
３ａ    縦フレ−ム
３ｂ    上下フレ−ム
Ｆ１    フレ−ムの水平片
Ｅ      延出片
Ｑ      折り返し部
Ｔ      突出片
４      化粧パネル
５      横仕切桟
６      縦仕切桟
Ｆ２    仕切桟の水平片
Ｆ３    仕切桟の水平片
Ｒ      連結片
Ｃ      突起
Ｈ      保持部
Ｈ１    仕切桟の保持端部
Ｈ２    仕切桟の保持基部
Ｈ３    フレ−ムの保持基部
Ｓ      スペ−ス
Ｄ      配線
Ｐ      化粧プレ−ト
７      棚板
Ａ      機器類
Ｂ      ブラケット
Ｂ１    載置部
Ｂ２    脚
Ｇ      係止部
Ｍ      木ネジ
Ｋ      取付具
Ｗ      壁下地
Ｙ      床面
【図１】
2005097925.tif 000003
【図２】
2005097925.tif 000004
【図３】
2005097925.tif 000005